(57)【特許請求の範囲】
【請求項１】
自終端装置から端局装置に送信された信号のトラフィック量を検出する検出部と、
保有しているトークン量に対応付けられた保有トークン値から、検出された前記トラフィック量に対応付けられたトラフィック値を減算した結果に基づいて省電力動作を実行する指示を生成する指示部と、
生成された前記指示に基づいて前記省電力動作を実行する通信部と、
を備え、
前記指示部は、前記保有トークン値が０の場合、又は前記保有トークン値が減少しない時間が一定時間以上続いている場合、前記省電力動作を実行する指示を生成する、
終端装置。
【請求項２】
前記通信部は、他の通信装置から送信された信号を自終端装置が前記端局装置に送信する場合、前記通信装置が信号を送信する周期に合わせて前記省電力動作を実行する、
請求項１に記載の終端装置。
【請求項３】
信号を取得する第１通信部
を有する端局装置と、
自終端装置から前記端局装置に送信された前記信号のトラフィック量を検出する検出部と、
保有しているトークン量に対応付けられた保有トークン値から、検出された前記トラフィック量に対応付けられたトラフィック値を減算した結果に基づいて省電力動作を実行する指示を生成する指示部と、
生成された前記指示に基づいて前記省電力動作を実行する第２通信部と、
を有する終端装置と、
を備え、
前記指示部は、前記保有トークン値が０の場合、又は前記保有トークン値が減少しない時間が一定時間以上続いている場合、前記省電力動作を実行する指示を生成する、
光伝送システム。
【請求項４】
端局装置と終端装置とを備える光伝送システムの前記終端装置が実行する光伝送方法であって、
前記終端装置から前記端局装置に送信された信号のトラフィック量を検出する第１ステップと、
保有しているトークン量に対応付けられた保有トークン値から、検出された前記トラフィック量に対応付けられたトラフィック値を減算した結果に基づいて省電力動作を実行する指示を生成する第２ステップと、
生成された前記指示に基づいて前記省電力動作を実行する第３ステップと、
を含み、
前記第２ステップにおいて、前記保有トークン値が０の場合、又は前記保有トークン値が減少しない時間が一定時間以上続いている場合、前記省電力動作を実行する指示を生成する、
光伝送方法。
【発明の詳細な説明】
【技術分野】
【０００１】
本発明は、終端装置、光伝送システム及び光伝送方法に関する。
【背景技術】
【０００２】
ＴＤＭ（Time Division Multiplexing）−ＰＯＮ（Passive Optical Network）システムは、広く商用化提供されている光アクセスシステムである。ＴＤＭ−ＰＯＮシステムは、終端装置（ONU: Optical Network Unit）と、端局装置（OLT: Optical Line Terminal）と、光ファイバの回線とを備える（非特許文献１参照）。
【０００３】
また、移動体無線通信システムの技術分野では、高速大容量化の実現に向け、多数のスモールセルを高密度に配置するネットワークが検討されている。多数のスモールセルを高密度に配置するネットワークを効率的かつ経済的に実現するため、大容量のトラフィック量をＰＯＮシステムによって収容するための研究開発が活発化している。
【先行技術文献】
【非特許文献】
【０００４】
【非特許文献１】Ryogo Kubo, et,al, “Sleep and Adaptive Link Rate Control for Power Saving in 10G-EPON Systems” GLOBECOM 2009.
【非特許文献２】3GPP, “Technical Specification Group Radio Access Network; Evolved Universal Terrestrial Radio Access (E-UTRA) and Evolved Universal Terrestrial Radio Access Network (E-UTRAN); Overall description; Stage 2 (Release 12)” 3GPP TS 36.300(V12.4.0) (2014-12).
【発明の概要】
【発明が解決しようとする課題】
【０００５】
以下、省電力動作を実行している状態を「スリープ状態」という。以下、省電力動作を実行していない状態を「起動状態」という。
【０００６】
ＴＤＭ−ＰＯＮ方式の光アクセスシステムでは、端局装置は、起動状態からスリープ状態に遷移するための設定の指示（以下、「スリープ状態の設定指示」という。）を、トラフィック量に応じて終端装置に送信する。終端装置は、スリープ状態の設定指示を終端装置が取得した場合、スリープ状態に遷移する。端局装置は、スリープ状態から起動状態に遷移するための解除の指示（以下、「スリープ状態の解除指示」という。）を、終端装置に送信する。終端装置は、スリープ状態の解除指示を終端装置が取得した場合、起動状態に遷移する。
【０００７】
端局装置から取得した設定指示等に応じて終端装置の状態が遷移する場合、スリープ状態である時間（以下、「スリープ時間」という。）がスリープ状態の設定指示又は解除指示の伝搬時間だけ短くなってしまうので、省電力の効果は低下してしまう。したがって、従来の終端装置は、予め定められた大容量のトラフィック量を収容する場合、スリープ時間を長くすることができないという問題がある。
【０００８】
上記事情に鑑み、本発明は、予め定められた大容量のトラフィック量を収容する場合でもスリープ時間を長くすることが可能となる終端装置、光伝送システム及び光伝送方法を提供することを目的としている。
【課題を解決するための手段】
【０００９】
本発明の一態様は、自終端装置から端局装置に送信された信号のトラフィック量を検出する検出部と、省電力動作を実行する指示を前記トラフィック量に基づいて生成する指示部と、生成された前記指示に基づいて前記省電力動作を実行する通信部と、を備える終端装置である。
【００１０】
本発明の一態様は、上記の終端装置であって、前記指示部は、保有しているトークン量に対応付けられた保有トークン値から、検出された前記トラフィック量に対応付けられたトラフィック値を減算した結果に基づいて、前記指示を生成する。
【００１１】
本発明の一態様は、上記の終端装置であって、前記指示部は、前記保有トークン値が減少しない時間が一定時間以上続いている場合、前記省電力動作を実行する指示を生成する。
【００１２】
本発明の一態様は、上記の終端装置であって、前記通信部は、他の通信装置から送信された信号を自終端装置が前記端局装置に送信する場合、前記通信装置が信号を送信する周期に合わせて前記省電力動作を実行する。
【００１３】
本発明の一態様は、信号を取得する第１通信部を有する端局装置と、自終端装置から前記端局装置に送信された前記信号のトラフィック量を検出する検出部と、省電力動作を実行する指示を前記トラフィック量に基づいて生成する指示部と、生成された前記指示に基づいて前記省電力動作を実行する第２通信部と、を有する終端装置と、を備える光伝送システムである。
【００１４】
本発明の一態様は、端局装置と終端装置とを備える光伝送システムの前記終端装置が実行する光伝送方法であって、前記終端装置から前記端局装置に送信された信号のトラフィック量を検出するステップと、省電力動作を実行する指示を前記トラフィック量に基づいて生成するステップと、生成された前記指示に基づいて前記省電力動作を実行するステップと、を含む光伝送方法である。
【発明の効果】
【００１５】
本発明により、予め定められた大容量のトラフィック量を収容する場合でもスリープ時間を長くすることが可能となる。
【図面の簡単な説明】
【００１６】
【図１】実施形態における、光伝送システムの構成の第１例を示す図である。
【図２】実施形態における、光伝送システムの動作の第１例を示すフローチャートである。
【図３】実施形態における、光伝送システムの動作の第１例を示す図である。
【図４】実施形態における、光伝送システムの構成の第２例を示す図である。
【図５】実施形態における、光伝送システムの動作の第２例を示すフローチャートである。
【図６】実施形態における、光伝送システムの動作の第２例を示す図である。
【発明を実施するための形態】
【００１７】
本発明の実施形態について、図面を参照して詳細に説明する。
（第１実施形態）
図１は、光伝送システム１ａの構成の例を示す図である。光伝送システム１ａは、端局装置２と、光ファイバ３と、光スプリッタ４と、光ファイバ５と、終端装置６ａとを備える。終端装置６ａは、複数でもよい。終端装置６ａ−ｎ（ｎは、１からＮまでの整数）は、光ファイバ５−ｎを介して光スプリッタ４と接続される。
【００１８】
以下、光ファイバ３と光スプリッタ４と光ファイバ５とをまとめて「光ファイバ網」という。以下、終端装置から端局装置への向きを「上り」という。以下、端局装置から終端装置への向きを「下り」という。
【００１９】
端局装置２（OLT）は、通信サービスを提供するための通信装置である。端局装置２は、通信サービスを提供するための局舎に設置される。端局装置２は、光ファイバ網を介して、終端装置６ａと通信する。端局装置２は、端局通信部（第１通信部）を有する。例えば、端局装置２の端局通信部は、光ファイバ３と光スプリッタ４と光ファイバ５−１とを介して、下り信号を終端装置６ａ−１に送信する。例えば、端局装置２の端局通信部は、光ファイバ５−１と光スプリッタ４と光ファイバ３とを介して、上り信号を終端装置６ａ−１から取得する。以下、終端装置６ａ−１〜６ａ−Ｎに共通する事項については、符号の一部を省略して、「終端装置６ａ」と表記する。
【００２０】
終端装置６ａ（ONU）は、通信サービスの提供を受けるための通信装置である。終端装置６ａは、通信サービスの提供を受ける顧客の宅内等に設置される。終端装置６ａは、通信部６０と、監視部６１ａと、電力制御部６２ａと、通信部６３ａとを備える。
【００２１】
通信部６０と監視部６１ａと電力制御部６２ａと通信部６３ａとのうち一部または全部は、例えば、ＣＰＵ（Central Processing Unit）等のプロセッサが、記憶部に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００２２】
通信部６０は、上り信号を生成する。通信部６０は、生成した上り信号を監視部６１ａに送信する。
【００２３】
監視部６１ａ（トラフィック監視制御部）は、通信部６３ａから端局装置２に送信される上り信号のトラフィック量を検出することによって、上り信号のトラフィック量を監視する。監視部６１ａは、検出部６１０ａと、記憶部６１１ａと、指示部６１２ａとを備える。
【００２４】
検出部６１０ａ（トラフィック・モニタ部）は、上り信号を通信部６０から取得する。検出部６１０ａは、取得した上り信号を通信部６３ａに送信する。検出部６１０ａは、通信部６３ａから端局装置２に送信された上り信号のトラフィック量（Ｖｕｐ）を検出する。検出部６１０ａは、検出したトラフィック量に対応付けられた値（以下、「トラフィック値」という。）を、指示部６１２ａに送信する。
【００２５】
例えば、上り信号のトラフィック量が１００Ｍｂｉｔ／ｓ〜２００Ｍｂｉｔ／ｓである場合、トラフィック値は、一例として、１と定められる。例えば、上り信号のトラフィック量が２００Ｍｂｉｔ／ｓ〜３００Ｍｂｉｔ／ｓである場合、トラフィック値は、一例として、２と定められる。このように、トラフィック値は、トラフィック量の範囲に対応付けられた値である。
【００２６】
記憶部６１１ａは、磁気ハードディスク装置や半導体記憶装置等の不揮発性の記憶媒体（非一時的な記録媒体）を有する記憶装置を用いて構成される。記憶部６１１ａは、例えば、ＲＡＭ（Random Access Memory）やレジスタなどの揮発性の記憶媒体を有していてもよい。
【００２７】
記憶部６１１ａは、保有しているトークンの量（トークン量）に基づいて送信可能である上り信号のトラフィック量に対応付けられた値（以下、「保有トークン値」という。）を記憶する。保有しているトークンの量は、信号の送信権に基づいて予め定められる。保有トークン値は、記憶部６１１ａにアクセスした指示部６１２ａによって更新される。
【００２８】
指示部６１２ａ（トークン量監視部）は、トラフィック値を検出部６１０ａから取得する。指示部６１２ａは、上り信号のトラフィック（上りトラフィック）があるか否かを判定する。上り信号のトラフィックがある場合、トラフィック値は正値となる。そこで、指示部６１２ａは、トラフィック値が正値であるか否かを判定する。
【００２９】
上り信号のトラフィックがある場合、一定時間における保有トークン値の減少量は、閾値以上となる。そこで、指示部６１２ａは、トラフィック値が正値であるか否かを判定する代わりに、一定期間における保有トークン値の減少量（一定期間におけるトラフィック値の合計）が閾値以上であるか否かを判定してもよい。
【００３０】
指示部６１２ａは、保有トークン値が減少しない時間（トラフィック値が０である時間）が一定時間以上続いているか否かを判定してもよい。これによって、指示部６１２ａは、上り信号のトラフィックが断続的な場合でも、スリープ状態に遷移するか否かを確実に判定することができる。
【００３１】
指示部６１２ａは、上り信号のトラフィックがある場合、記憶部６１１ａにアクセスし、保有トークン値（Ｔｔｏｔａｌ）からトラフィック値（Ｔｕｐ）を減算する。これによって、指示部６１２ａは、保有トークン値からトラフィック値を減算した結果（＝Ｔｔｏｔａｌ−Ｔｕｐ）を、更新後の保有トークン値として記憶部６１１ａに記憶させることができる。
【００３２】
例えば、指示部６１２ａは、上り信号のトラフィック量が「１００Ｍｂｉｔ／ｓ〜２００Ｍｂｉｔ／ｓ」である場合、上り信号のトラフィック量「１００Ｍｂｉｔ／ｓ〜２００Ｍｂｉｔ／ｓ」に対応付けられたトラフィック値「１」を、保有トークン値から減算する。
【００３３】
例えば、指示部６１２ａは、上り信号のトラフィック量が「２００Ｍｂｉｔ／ｓ〜３００Ｍｂｉｔ／ｓ」である場合、上り信号のトラフィック量「２００Ｍｂｉｔ／ｓ〜３００Ｍｂｉｔ／ｓ」に対応付けられたトラフィック値「２」を、保有トークン値から減算する。
【００３４】
指示部６１２ａは、上り信号のトラフィックがある場合、スリープ状態の解除指示を電力制御部６２ａに送信する。電力制御部６２ａ（省電力制御部）は、スリープ状態の解除指示を指示部６１２ａから取得した場合、通信部６３ａの状態がスリープ状態であるか否かを判定する。指示部６１２ａは、上り信号のトラフィックがない場合、スリープ状態の設定指示を電力制御部６２ａに送信する。すなわち、指示部６１２ａは、上り信号のトラフィックがない場合、通信部６３ａが省電力動作を実行する指示を、電力制御部６２ａに送信する。
【００３５】
指示部６１２ａは、保有トークン値が０になった場合、スリープ状態の設定指示を電力制御部６２ａに送信してもよい。これによって、指示部６１２ａは、保有トークン値が０になった場合、通信部６３ａが上り信号を送信できないよう、通信部６３ａを強制的にスリープ状態にすることができる。例えば、震災等の有事の際に、トラフィック量を強制的に制限する場合、保有トークン値（トークン量）を少なく設定することによって、上り信号のトラフィック量に制限をかけることができる。
【００３６】
なお、指示部６１２ａは、上り信号のトラフィック量の変動量に基づいて、スリープ状態の設定指示を電力制御部６２ａに送信してもよい。
【００３７】
電力制御部６２ａは、通信部６３ａの状態がスリープ状態であり、スリープ状態の解除指示を電力制御部６２ａが指示部６１２ａから取得した場合、通信部６３ａの状態を起動状態に遷移させる。電力制御部６２ａは、スリープ状態の設定指示を指示部６１２ａから取得した場合、通信部６３ａの状態がスリープ状態であるか否かを判定する。電力制御部６２ａは、通信部６３ａの状態が起動状態であり、スリープ状態の設定指示を電力制御部６２ａが指示部６１２ａから取得した場合、通信部６３ａの状態をスリープ状態に遷移させる。
【００３８】
通信部６３ａ（第２通信部）は、光ファイバ網を介して、端局装置２から下り信号を取得する。通信部６３ａは、上り信号を検出部６１０ａから取得する。通信部６３ａは、電力制御部６２ａによる制御に応じて、起動状態からスリープ状態に遷移する。すなわち、通信部６３ａは、スリープ状態の設定指示を電力制御部６２ｂから取得した場合、起動状態からスリープ状態に遷移する。スリープ状態における通信部６３ａの消費電力は、起動状態における通信部６３ａの消費電力と比較して低い。
【００３９】
通信部６３ａは、電力制御部６２ａによる制御に応じて、スリープ状態から起動状態に遷移する。すなわち、通信部６３ａは、スリープ状態の解除指示を電力制御部６２ｂから取得した場合、スリープ状態起から動状態に遷移する。通信部６３ａは、通信部６３ａの状態が起動状態である場合、光ファイバ網を介して、端局装置２に上り信号を送信する。通信部６３ａは、例えば、起動状態からスリープ状態に遷移することを通知するための信号（以下、「スリープ設定通知信号」という。）を、端局装置２に送信する。通信部６３ａは、例えば、スリープ状態から起動状態に遷移することを通知するための信号（以下、「スリープ解除通知信号」という。）を、端局装置２に送信する。通信部６３ａは、例えば、応答信号を端局装置２に送信してもよい。
【００４０】
図２は、光伝送システム１ａの動作の例を示すフローチャートである。検出部６１０ａは、上り信号のトラフィック量（Ｖｕｐ）を検出する（ステップＳ１０１）。検出部６１０ａは、トラフィック値を指示部６１２ａに送信する（ステップＳ１０２）。指示部６１２ａは、上り信号のトラフィックがあるか否かを判定する（ステップＳ１０３）。
【００４１】
上り信号のトラフィックがある場合（ステップＳ１０３：ＹＥＳ）、指示部６１２ａは、記憶部６１１ａにアクセスし、保有トークン値からトラフィック値を減算する（ステップＳ１０４）。指示部６１２ａは、スリープ状態の解除指示を電力制御部６２ａに送信する（ステップＳ１０５）。電力制御部６２ａは、通信部６３ａの状態がスリープ状態であるか否かを判定する（ステップＳ１０６）。
【００４２】
通信部６３ａの状態が起動状態である場合（ステップＳ１０６：ＮＯ）、電力制御部６２ａは、図２に示す処理を終了する。通信部６３ａの状態がスリープ状態である場合（ステップＳ１０６：ＹＥＳ）、電力制御部６２ａは、スリープ状態の解除指示を通信部６３ａに送信する（ステップＳ１０７）。
【００４３】
上り信号のトラフィックがない場合（ステップＳ１０３：ＮＯ）、指示部６１２ａは、スリープ状態の設定指示を電力制御部６２ａに送信する（ステップＳ１０８）。電力制御部６２ａは、通信部６３ａの状態がスリープ状態であるか否かを判定する（ステップＳ１０９）。通信部６３ａの状態がスリープ状態である場合（ステップＳ１０９：ＹＥＳ）、電力制御部６２ａは、図２に示す処理を終了する。通信部６３ａの状態が起動状態である場合（ステップＳ１０６：ＮＯ）、電力制御部６２ａは、スリープ状態の設定指示を通信部６３ａに送信する（ステップＳ１１０）。
【００４４】
図３は、光伝送システム１ａの動作の例を示す図である。横軸は時間を示す。図３の上段は、光伝送システム１ａの動作との比較例として、光伝送システム１００ａの動作を示す。光伝送システム１００ａは、端局装置２００ａと、終端装置３００ａとを備える。
【００４５】
時刻ｔ１において、端局装置２００ａは、スリープ状態の設定指示を終端装置３００ａに送信する。時刻ｔ２において、終端装置３００ａは、スリープ状態の設定指示を端局装置２００ａから取得する。終端装置３００ａは、応答信号を端局装置２００ａに送信する。終端装置３００ａは、スリープ状態の設定指示に基づいて、起動状態からスリープ状態に遷移する。時刻ｔ３において、端局装置２００ａは、応答信号を終端装置３００ａから取得する。
【００４６】
時刻ｔ４において、端局装置２００ａは、スリープ状態の解除指示を終端装置３００ａに送信する。時刻ｔ５において、終端装置３００ａは、スリープ状態の解除指示を、端局装置２００ａから取得する。終端装置３００ａは、スリープ状態の解除指示に基づいて、スリープ状態から起動状態に遷移する。したがって、終端装置３００ａのスリープ時間は、時刻ｔ２から時刻ｔ５までである。時刻ｔ５において、終端装置３００ａは、スリープ解除通知信号を端局装置２００ａに送信する。時刻ｔ６において、端局装置２００ａは、スリープ解除通知信号を終端装置３００ａから取得する。
【００４７】
図３の下段は、光伝送システム１ａの動作の例を示す。時刻ｔ１において、終端装置６ａは、保有トークン値及びトラフィック値に基づいて、スリープ設定通知信号を端局装置２に送信する。終端装置６ａは、保有トークン値及びトラフィック値に基づいて、起動状態からスリープ状態に自律的に遷移する。例えば、終端装置６ａは、保有トークン値が減少しない時間が一定時間以上続いた場合、起動状態からスリープ状態に自律的に遷移する。時刻ｔ２において、端局装置２は、スリープ設定通知信号を終端装置６ａから取得する。
【００４８】
時刻ｔ５において、終端装置６ａは、保有トークン値及びトラフィック値に基づいて、スリープ状態から起動状態に自律的に遷移する。したがって、終端装置６ａのスリープ時間は、時刻ｔ１から時刻ｔ５までである。終端装置６ａのスリープ時間は、終端装置３００ａのスリープ時間よりも長い。終端装置６ａは、スリープ解除通知信号を端局装置２に送信する。時刻ｔ６において、端局装置２は、スリープ解除通知信号を終端装置６ａから取得する。
【００４９】
以上のように、実施形態の終端装置６ａは、検出部６１０ａと、指示部６１２ａと、通信部６３ａとを備える。検出部６１０ａ−１は、終端装置６ａ−１から端局装置２に送信された信号のトラフィック量を検出する。指示部６１２ａ−１は、省電力動作を実行する指示をトラフィック量に基づいて生成する。通信部６３ａは、生成された指示に基づいて省電力動作を実行する。
【００５０】
これによって、実施形態における終端装置６ａは、予め定められた大容量のトラフィック量を収容する場合でもスリープ時間を長くすることが可能となる。
【００５１】
実施形態における終端装置６ａは、保有トークン値に基づいて状態遷移することによって、トラフィック量の監視粒度を調整することができる。例えば、トラフィック量が１００Ｍｂｉｔ／ｓ〜２００Ｍｂｉｔ／ｓである場合には、保有トークン値から１を減算するので、実施形態における終端装置６ａは、監視粒度「１００Ｍｂｉｔ／ｓ〜２００Ｍｂｉｔ／ｓ」をトラフィック量に持たせて、トラフィック量を監視することができる。
【００５２】
（第２実施形態）
第２実施形態では、通信装置７が終端装置６ｂに上り信号を送信する周期に基づいてスリープ時間が設定される点が、第１実施形態と相違する。第２実施形態では、第１実施形態との相違点についてのみ説明する。
【００５３】
図４は、光伝送システム１ｂの構成の例を示す図である。光伝送システム１ｂは、端局装置２と、光ファイバ３と、光スプリッタ４と、光ファイバ５と、終端装置６ｂとを備える。終端装置６ｂは、複数でもよい。終端装置６ｂ−ｎ（ｎは、１からＮまでの整数）は、光ファイバ５−ｎを介して光スプリッタ４と接続される。光伝送システム１ｂは、通信装置７を更に備える。
【００５４】
通信装置７は、複数でもよい。通信装置７−ｎは、終端装置６ｂ−ｎと通信する。通信装置７は、例えば、移動体無線通信システムの通信装置である。通信装置７の通信方式は、ＴＤＤ（Time Division Duplex）方式でもよい。
【００５５】
端局装置２は、光ファイバ網を介して、終端装置６ｂと通信する。以下、終端装置６ｂ−１〜６ｂ−Ｎに共通する事項については、符号の一部を省略して、「終端装置６ｂ」と表記する。
【００５６】
終端装置６ｂ（ONU）は、通信サービスの提供を受けるための通信装置である。終端装置６ｂは、通信サービスの提供を受ける顧客の宅内等に設置される。終端装置６ｂは、通信部６０と、監視部６１ｂと、電力制御部６２ｂと、通信部６３ｂとを備える。
【００５７】
通信部６０は、上り信号を通信装置７から取得する。通信部６０は、取得した上り信号を検出部６１０ｂに送信する。
【００５８】
監視部６１ｂは、通信装置７から通信部６０に送信される上り信号のトラフィック量を検出することによって、上り信号のトラフィック量を監視する。監視部６１ｂは、検出部６１０ｂと、記憶部６１１ｂと、指示部６１２ｂとを備える。
【００５９】
検出部６１０ｂは、上り信号を通信部６０から取得する。検出部６１０ｂは、取得した上り信号のトラフィック量（Ｖｕｐ）を検出する。検出部６１０ｂは、通信装置７の上り信号のトラフィック周期で動作する。例えば、検出部６１０ｂは、取得した上り信号のトラフィック量を、通信装置７の上り信号のトラフィック周期で検出する。
【００６０】
通信装置７の上り信号のトラフィック周期は、例えば通信装置７が移動体無線通信システムであり、通信装置７の通信方式がＴＤＤ方式である場合、上り信号のサブフレームの割当は、予め定められる（非特許文献２参照）。上り信号のサブフレームの割当が予め定められるため、上り信号のトラフィック周期は予め定められている。
【００６１】
指示部６１２ｂは、上り信号のトラフィックがない場合、通信装置７の上り信号のトラフィック周期に基づく時間長を、スリープ時間の長さと定める。例えば、指示部６１２ｂは、通信装置７の上り信号のトラフィック周期に同じ時間長を、スリープ時間の長さと定めてもよい。指示部６１２ｂは、上り信号のトラフィックがない場合、スリープ状態の設定指示を電力制御部６２ｂに送信する。指示部６１２ｂは、スリープ状態の設定指示を電力制御部６２ｂに送信した時刻からスリープ時間が経過した時刻を検出してもよい。指示部６１２ｂは、スリープ状態の設定指示を電力制御部６２ｂに送信した時刻からスリープ時間が経過した時刻に、スリープ状態の解除指示を電力制御部６２ｂに送信する。
【００６２】
電力制御部６２ｂは、スリープ状態の設定指示を電力制御部６２ｂが指示部６１２ｂから取得した場合、通信部６３ｂの状態をスリープ状態に遷移させる。電力制御部６２ｂは、スリープ状態の解除指示を電力制御部６２ｂが指示部６１２ｂから取得した場合、通信部６３ｂの状態を起動状態に遷移させる。
【００６３】
なお、電力制御部６２ｂは、スリープ状態の設定指示を電力制御部６２ｂが取得した時刻からスリープ時間が経過した時刻を検出してもよい。電力制御部６２ｂは、電力制御部６２ｂがスリープ状態の解除指示を指示部６１２ｂから取得していない場合でも、スリープ時間が経過した時刻に、通信部６３ｂの状態を起動状態に遷移させてもよい。
【００６４】
通信部６３ｂは、スリープ状態の設定指示を電力制御部６２ｂから取得した場合、スリープ状態に遷移する。通信部６３ｂは、スリープ状態の解除指示を電力制御部６２ｂから取得した場合、起動状態に遷移する。したがって、通信部６３ｂは、通信装置７から送信された上り信号を終端装置６ｂが端局装置２に送信する場合、終端装置６ｂに通信装置７が上り信号を送信する周期に合わせて、省電力動作を実行する。
【００６５】
なお、通信部６３ｂは、スリープ状態の設定指示を電力制御部６２ｂが取得した時刻からスリープ時間が経過した時刻を検出してもよい。通信部６３ｂは、通信部６３ｂがスリープ状態の解除指示を電力制御部６２ｂから取得していない場合でも、スリープ時間が経過した時刻に、起動状態に遷移してもよい。
【００６６】
図５は、光伝送システム１ｂの動作の例を示すフローチャートである。図５に示すフローチャートは、通信装置７の上り信号のトラフィック周期で実行される。検出部６１０ａは、上り信号のトラフィック量（Ｖｕｐ）を検出する（ステップＳ２０１）。電力制御部６２ｂは、スリープ状態の解除指示を通信部６３ｂに送信する（ステップＳ２０２）。なお、ステップＳ２０２の処理は、ステップ２０６よりも前に実行されるステップ２０１〜２０５のいずれかで実行されればよい。例えば、ステップＳ２０２の処理は、ステップ２０１と並列に実行されてもよい。
【００６７】
検出部６１０ｂは、トラフィック値を指示部６１２ｂに送信する（ステップＳ２０３）。指示部６１２ｂは、上り信号のトラフィックがあるか否かを判定する（ステップＳ２０４）。上り信号のトラフィックがある場合（ステップＳ２０４：ＹＥＳ）、指示部６１２ｂは、記憶部６１１ｂにアクセスし、保有トークン値からトラフィック値を減算する（ステップＳ２０５）。
【００６８】
上り信号のトラフィックがない場合（ステップＳ２０４：ＮＯ）、指示部６１２ｂは、スリープ状態の設定指示を電力制御部６２ｂに送信する（ステップＳ２０６）。電力制御部６２ｂは、スリープ状態の設定指示を通信部６３ｂに送信する（ステップＳ２０７）。
【００６９】
図６は、光伝送システム１ｂの動作の例を示す図である。横軸は時間を示す。図６の上段は、光伝送システム１ｂの動作との比較例として、光伝送システム１００ｂの動作を示す。時刻ｔ１において、端局装置２００ｂは、スリープ状態の設定指示を終端装置３００ｂに送信する。第２実施形態では、スリープ状態の設定指示は、スリープ時間を表す情報を含んでもよい。
【００７０】
時刻ｔ２において、終端装置３００ｂは、スリープ状態の設定指示を端局装置２００ｂから取得する。終端装置３００ｂは、応答信号を端局装置２００ｂに送信する。終端装置３００ｂは、スリープ状態の設定指示に基づいて、起動状態からスリープ状態に遷移する。時刻ｔ３において、端局装置２００ｂは、応答信号を終端装置３００ｂから取得する。
【００７１】
時刻ｔ５において、終端装置３００ｂは、スリープ時間を表す情報に基づいて、スリープ状態から起動状態に遷移する。したがって、終端装置３００ｂのスリープ時間は、時刻ｔ２から時刻ｔ５までである。時刻ｔ５において、終端装置３００ｂは、スリープ解除通知信号を端局装置２００ｂに送信する。時刻ｔ６において、端局装置２００ｂは、スリープ解除通知信号を終端装置３００ａから取得する。
【００７２】
図６の下段は、光伝送システム１ｂの動作の例を示す。時刻ｔ１において、終端装置６ｂは、保有トークン値及びトラフィック値に基づいて、スリープ設定通知信号を端局装置２に送信する。終端装置６ｂは、通信装置７の上り信号のトラフィック周期に基づく時間長を、スリープ時間の長さと定める。例えば、終端装置６ｂは、通信装置７の上り信号のトラフィック周期に同じ時間長を、スリープ時間の長さと定めてもよい。図６では、終端装置６ｂのスリープ時間は、時刻ｔ１から時刻ｔ５までである。
【００７３】
終端装置６ｂは、保有トークン値及びトラフィック値に基づいて、起動状態からスリープ状態に自律的に遷移する。例えば、終端装置６ｂは、保有トークン値が減少しない時間が一定時間以上続いた場合、起動状態からスリープ状態に自律的に遷移する。時刻ｔ２において、端局装置２は、スリープ設定通知信号を終端装置６ｂから取得する。
【００７４】
時刻ｔ５において、終端装置６ｂは、スリープ状態から起動状態に自律的に遷移する。終端装置６ｂのスリープ時間は、終端装置３００ｂのスリープ時間よりも長い。終端装置６ｂは、スリープ解除通知信号を端局装置２に送信する。時刻ｔ６において、端局装置２は、スリープ解除通知信号を終端装置６ｂから取得する。
【００７５】
以上のように、通信部６３ｂは、終端装置６ｂに通信装置７が信号を送信する周期に合わせて省電力動作を実行する。これによって、実施形態における終端装置６ｂは、通信装置７の信号のトラフィック周期に基づいて、スリープ時間をトラフィック周期の時間長まで長くすることができる。すなわち、実施形態における終端装置６ｂは、上り信号が通信装置７から終端装置６ｂに到着してから次の上り信号が通信装置７から終端装置６ｂに到着するまでの最長の時間、スリープ状態になっていることができる。
【００７６】
上述した実施形態における端局装置、終端装置、通信装置及び光伝送システムの少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００７７】
以上、この発明の実施形態について図面を参照して詳述してきたが、具体的な構成はこの実施形態に限られるものではなく、この発明の要旨を逸脱しない範囲の設計等も含まれる。
【符号の説明】
【００７８】
１ａ…光伝送システム、１ｂ…光伝送システム、２…端局装置、３…光ファイバ、４…光スプリッタ、５…光ファイバ、６ａ…終端装置、６ｂ…終端装置、６０…通信部、６１ａ…監視部、６１ｂ…監視部、６２ａ…電力制御部、６２ｂ…電力制御部、６３ａ…通信部、６３ｂ…通信部、１００ａ…光伝送システム、１００ｂ…光伝送システム、２００ａ…端局装置、２００ｂ…端局装置、３００ａ…終端装置、３００ｂ…終端装置、６１０ａ…検出部、６１０ｂ…検出部、６１１ａ…記憶部、６１１ｂ…記憶部、６１２ａ…指示部、６１２ｂ…指示部
【図１】
0006534947.tif 000002
【図２】
0006534947.tif 000003
【図３】
0006534947.tif 000004
【図４】
0006534947.tif 000005
【図５】
0006534947.tif 000006
【図６】
0006534947.tif 000007